(57)【特許請求の範囲】
【請求項１】
編地を編む所定位置でひも状に編み、
前記ひも状編み部の先端の編み目に通した編み針を１回転させて前記編み目に編み糸を巻き付かせ、
さらに、前記編み目に通した編み針で所定回数回転させて前記ひも状編み部の上に編み糸を巻き付かせ、
前記編み針にかかっている前記ひも状編み部の編み目と最初の編み目を一度に引き抜くことによりひも状巻き付け部を形成し、
前記編地を連続して編む、
ことを特徴とする編み方。
【請求項２】
前記請求項１に記載の編み方により作成されたことを特徴とする編み物。
【発明の詳細な説明】
【技術分野】
【０００１】
この発明は、編地に特有の編み方を施すことにより、編地の表面に独特な立体的形状を作成する編み方及び編み物に関するものである。
【背景技術】
【０００２】
従来、編地の表面に立体的な形状を施すには、ファンシーヤーン（意匠糸）とよばれる芯糸、浮糸、押糸で構成された３本以上の糸を双糸撚りすることにより凹凸した糸が一般的に使用されている（特許文献１〜２）。
【特許文献１】特開２００４−２７０１２４
【特許文献２】特開２００１−２７９５５１
【発明の開示】
【発明が解決しようとする課題】
【０００３】
しかしながら、その立体的な形状は、一般に市場で販売されているファンシーヤーンに施された形状に限定されるため、編地の表面に自由な創造性のある個性豊かな立体的形状を作成することは困難である。
【０００４】
また、ファンシーヤーンは、複数の糸を撚って構成されているため編みづらくまた完成した編み物もほつれ易い。
【０００５】
さらに、ファンシーヤーンは双糸撚りすることにより、立体的形状を作成することを可能とした糸であるため、洗濯や使用により長期の間、立体的形状を維持することは困難である。
【０００６】
この発明はかかる点に鑑みてなされたもので、編地の表面に自由な創造性のある個性豊かな立体的形状を生み出すことが可能となり、かつ１本の編み糸で立体的な形状を編み上げるため編み易く、また完成した編み物もほつれにくく、長期の間、立体的形状を維持することも可能である編み方及び編み物を提供することを目的としている。
【課題を解決するための手段】
【０００７】
前記課題を解決し、かつ目的を達成するために、この発明は、以下のように構成されている。
【０００８】
請求項１に記載の発明は、編地を編む所定位置でひも状に編み、
前記ひも状編み部の先端の編み目に通した編み針を１回転させて前記編み目に編み糸を巻き付かせ、
さらに、前記編み目に通した編み針で所定回数回転させて前記ひも状編み部の上に編み糸を巻き付かせ、
前記編み針にかかっている前記ひも状編み部の編み目と最初の編み目を一度に引き抜くことによりひも状巻き付け部を形成し、
前記編地を連続して編む、
ことを特徴とする編み方である。
【０００９】
請求項２に記載の発明は、前記請求項１に記載の編み方により作成されたことを特徴とする編み物である。
【発明の効果】
【００１０】
前記構成によりこの発明は以下のような効果を有する。
【００１１】
請求項１に記載の発明では、編地を編む所定位置でひも状に編み、ひも状編み部の先端の編み目に通した編み針を１回転させて編み目に編み糸を巻き付かせる。さらに、編み目に通した針で所定回数回転させてひも状編み部の上に編み糸を巻き付かせ、編み針にかかっているひも状編み部の編み目と最初の編み目を一度に引き抜くことにより、ひも状巻き付け部を形成し、編地を連続して編むことで、編地の表面に立体的部分を生み出すことが可能となり、ファンシーヤーンで編んだような、外観上個性豊かな意匠性に富んだ編み物を作成することが可能となる。これにより、編み物を編む時に一般に知られている編み方を行いながら、立体的なひも状巻き付け部を編み込んだ意匠性に富む編地を作成することが可能となる。
【００１２】
請求項２に記載の発明では、請求項１に記載の編み方により作成された編み物であり、編み物として、例えば被服、レース、小物などに用いることができる。
【発明を実施するための最良の形態】
【００１３】
以下、この発明の編み方及び編み物の実施の形態を説明するが、この発明の実施の形態は、発明の最も好ましい形態を示すものであり、この発明はこれに限定されない。
【００１４】
この発明の編み方を、図１乃至図６に基づいて説明する。図１は編み方の第１ステップを示す図、図２は編み方の第２ステップを示す図、図３は編み方の第３ステップを示す図、図４は編み方の第４ステップを示す図、図５は編み方の第５ステップを示す図、図６は編み方の第６ステップを示す図である。
【００１５】
図１では、編み針１を使用して編地を編むが、この実施の形態では、編地の所定位置で、例えば１５目の鎖編みによりひも状編み部２を編む。なお、編み針は、ここでは鈎針を使用しているが鈎針に限定されず棒針でも良い。また、編地は、ここでは編み物における一般的な編み方である鎖編みを行っているが、鎖編みに限定されず、細編み、中編み、長編み、表目、裏目、ねじり目、引き抜き編み、細編み、中長編み、長編み、長々編み、玉編み、パプコーン編み、七宝編み、引抜き編み、ヘアピンレース、マクラメレース、アフガン編み等の他の編み方でも良く、手編み、手編み機、機械編み機でもよい。
【００１６】
図２では、左手５の人差し指に編み糸４を引っ掛け、鎖編みのひも状編み部２の先端の編み目３ａに通した編み針１を左回りに３６０°回転させる。
【００１７】
図３では、編み針１が左回りに３６０°回転することによって左手５の人差し指に掛かっている編み糸４がひも状編み部２の先端の編み目３ａに巻き付く。
【００１８】
図４では、図２及び図３で示した方法を、同じ要領で更に、編み目３ａに通した編み針１で連続して３６０°所定回数回転させてひも状編み部２の上に編み糸４を順次巻き付かせ、ひも状巻き付け部７を作成する。この編み目３ａに通した編み針１で編み目３ａを回転する回転数は、ひも状編み部２の編み目の数、または長さによるが、特に限定しない。
【００１９】
図５では、編み針１に掛かっている編み目３ａをひも状編み部２の最初の編み目３ｂに通し、下方向に一度に引き抜く。
【００２０】
図６では、編み針１にかかっている編み目３ａと、最初の編み目３ｂを一度に引き抜くことにより、ひも状巻き付け部７が形成され、続いて編地を連続して編む。このように、編地の表面にひも状巻き付け部７によって立体的部分を生み出すことが可能となり、またひも状巻き付け部７が巻き付け力によって自然に捻じり形状になり、ファンシーヤーンで編んだような、外観上個性豊かな意匠性に富んだ編み物を作成することが可能となる。
【００２１】
また、１本の編み糸で立体的なひも状巻き付け部７を編み上げるため編み易く、また完成した編み物もほつれにくく、長期の間、立体的形状を維持することも可能である
図７は細地の編地２０にひも状巻き付け部７を混ぜて編み、図８は扇形模様の編地３０にひも状巻き付け部７を混ぜて編んだ状態を示している。
【００２２】
この発明の図１乃至図８に示す編み方は、図９に示すセータなどの被服、図１０に示すマフラー、図１１に示す手提げバッグなどの小物などの編み物の作成に用いることができる。
【産業上の利用可能性】
【００２３】
この発明は、編地に特有の編み方を施すことにより、編地の表面に独特な立体的形状を作成する編み方及び編み物に適用でき、編地の表面に自由な創造性のある個性豊かな立体的形状を生み出すことが可能となる。
【図面の簡単な説明】
【００２４】
【図１】編み方の第１ステップを示す図である。
【図２】編み方の第２ステップを示す図である。
【図３】編み方の第３ステップを示す図である。
【図４】編み方の第４ステップを示す図である。
【図５】編み方の第５ステップを示す図である。
【図６】編み方の第６ステップを示す図である。
【図７】細地の編地にひも状巻き付け部を混ぜて編んだ状態を示す図である。
【図８】扇形模様の編地にひも状巻き付け部を混ぜて編んだ状態を示す図である。
【図９】ひも状巻き付け部を混ぜて編んだセータを示す図である。
【図１０】ひも状巻き付け部を混ぜて編んだマフラーを示す図である。
【図１１】ひも状巻き付け部を混ぜて編んだ手提げバッグを示す図である。
【符号の説明】
【００２５】
１    編み針
２    ひも状編み部
３ａ  先端の編み目
３ｂ  最初の編み目
４    編み糸
７    ひも状巻き付け部
【図１】
0004710077.tif 000002
【図２】
0004710077.tif 000003
【図３】
0004710077.tif 000004
【図４】
0004710077.tif 000005
【図５】
0004710077.tif 000006
【図６】
0004710077.tif 000007
【図７】
0004710077.tif 000008
【図８】
0004710077.tif 000009
【図９】
0004710077.tif 000010
【図１０】
0004710077.tif 000011
【図１１】
0004710077.tif 000012